(57)【要約】【課題】  簡単に製造することができる吹出グリル及びこれを用いたビルトイン型空気調和機を提供すること。【解決手段】  建屋の天井部に設置され、熱交換器及びファンを収容したユニット本体に、吹出ダクト及び吹出チャンバを介して接続され、被調和室に調和空気を吹き出す複数の吹出口５５Ａと、これら吹出口５５Ａに吹出チャンバから連通する案内風路５５Ｆが形成された吹出グリルにおいて、案内風路５５Ｆを仕切るための風路仕切部１０６Ｂが一体に形成され、案内風路５５Ｆを構成する発泡スチロール製の断熱体１０６と、この断熱体１０６の表面を覆うべく、断熱体１０６に嵌め合わされるとともに、案内風路５５Ｆを構成する化粧パネル１０５とを備える構成とした。【選択図】      図６
2006046870.tif 000002
【特許請求の範囲】
【請求項１】
建屋の天井部に設置され、熱交換器及びファンを収容したユニット本体に、吹出ダクト及び吹出チャンバを介して接続され、被調和室に調和空気を吹き出す複数の吹出口と、これら吹出口に吹出チャンバから連通する案内風路が形成された吹出グリルにおいて、
前記案内風路を仕切るための風路仕切部が一体に形成され、前記案内風路を構成する発泡スチロール製の断熱体と、
この断熱体の表面を覆うべく、前記断熱体に嵌め合わされるとともに、前記案内風路を構成する化粧パネルと、を備える構成としたことを特徴とする吹出グリル。
【請求項２】
前記化粧パネルは、前記風路仕切部の下面を覆うとともに前記風路仕切部を支持する中央枠を備えることを特徴とする請求項１に記載の吹出グリル。
【請求項３】
前記化粧パネルは、前記断熱体の内壁に嵌め合わされて係合する立ち上がり部を備えることを特徴とする請求項１または２に記載の吹出グリル。
【請求項４】
前記立ち上がり部に、被調和室に向けて案内風路の開口面積を徐々に拡げるように傾斜する第１の面と、この第１の面に段差部を介して連なり、被調和室に向けて案内風路の開口面積を徐々に拡げるように傾斜する第２の面とを形成したことを特徴とする請求項３に記載の吹出グリル。
【請求項５】
熱交換器及びファンを収容したユニット本体と、このユニット本体に吹出ダクトを介して接続される吹出チャンバと、この吹出チャンバに接続され、被調和室に調和空気を吹き出す略平行に延びた複数の吹出口及びこれら吹出口に吹出チャンバから連通する案内風路が形成された吹出グリルと、を備えるビルトイン型空気調和機において、
前記吹出グリルは、前記案内風路を仕切るための風路仕切部が一体に形成され、前記案内風路を構成する発泡スチロール製の断熱体と、
この断熱体の表面を覆うべく、前記断熱体に嵌め合わされるとともに、前記案内風路を構成する化粧パネルと、を備える構成としたことを特徴とするビルトイン型空気調和機。
【発明の詳細な説明】
【技術分野】
【０００１】
本発明は、建屋の天井部に設置され、被調和室に調和空気を吹き出す吹出口を有する吹出グリル及びこれを用いたビルトイン型空気調和機に関する。
【背景技術】
【０００２】
一般に、建屋の天井部に設置され、熱交換器及びファンを収容したユニット本体に、吹出ダクト及び吹出チャンバを介して接続され、被調和室に調和空気を吹き出す複数の吹出口と、これら吹出口に吹出チャンバから連通する案内風路が形成された吹出グリルが知られている（例えば、特許文献１参照）。この種の吹出グリルでは、個別に曲げ成形された板金製の枠部材を組み立てることによって、吹出口及び案内風路を形成し、これら吹出口及び案内風路の外周面に、ウレタン樹脂等からなる断熱材を巻いて形成するのが一般的である。
【特許文献１】特開平１０−３８３５９号公報
【発明の開示】
【発明が解決しようとする課題】
【０００３】
しかしながら、従来の構成では、枠部材をそれぞれ形成し、それを組み立てるとともに、各枠部材に断熱材を一々巻かなければならず、吹出グリルの組み立て手数が複雑になるという問題があった。
【０００４】
そこで、本発明の目的は、簡単に製造することができる吹出グリル及びこれを用いたビルトイン型空気調和機を提供することにある。
【課題を解決するための手段】
【０００５】
上述課題を解決するため、本発明は、建屋の天井部に設置され、熱交換器及びファンを収容したユニット本体に、吹出ダクト及び吹出チャンバを介して接続され、被調和室に調和空気を吹き出す複数の吹出口と、これら吹出口に吹出チャンバから連通する案内風路が形成された吹出グリルにおいて、案内風路を仕切るための風路仕切部が一体に形成され、前記案内風路を構成する発泡スチロール製の断熱体と、この断熱体の表面を覆うべく、断熱体に嵌め合わされるとともに、案内風路を構成する化粧パネルとを備える構成としたことを特徴とする。
【０００６】
この場合において、化粧パネルは、風路仕切部の下面を覆うとともに、この風路仕切部を支持する中央枠を備える構成としても良い。また、化粧パネルは、断熱体の内壁に嵌め合わされて係合する立ち上がり部を備える構成としても良い。この場合において、立ち上がり部に、被調和室に向けて案内風路の開口面積を徐々に拡げるように傾斜する第１の面と、この第１の面に段差部を介して連なり、被調和室に向けて案内風路の開口面積を徐々に拡げるように傾斜する第２の面とを形成した構成としても良い。
【０００７】
本発明は、熱交換器及びファンを収容したユニット本体と、このユニット本体に吹出ダクトを介して接続される吹出チャンバと、この吹出チャンバに接続され、被調和室に調和空気を吹き出す略平行に延びた複数の吹出口及びこれら吹出口に吹出チャンバから連通する案内風路が形成された吹出グリルと、を備えるビルトイン型空気調和機において、吹出グリルは、案内風路を仕切るための風路仕切部が一体に形成され、案内風路を構成する発泡スチロール製の断熱体と、この断熱体の表面を覆うべく、断熱体に嵌め合わされるとともに、案内風路を構成する化粧パネルと、を備える構成としたことを特徴とする。
【発明の効果】
【０００８】
本発明では、吹出グリルを簡単に製造することができ、ひいては、この吹出グリルを用いたビルトイン型空気調和機を簡単に製造することができる。
【発明を実施するための最良の形態】
【０００９】
以下、本発明の一実施形態を、図面に基づき説明する。
図１は、本発明に係るビルトイン型空気調和機を示し、（Ａ）がパネル仕様ビルトイン型空気調和機、（Ｂ）がダクト仕様ビルトイン型空気調和機をそれぞれ示す側面図である。図１（Ａ）に示すパネル仕様ビルトイン型空気調和機３０と、図１（Ｂ）に示すダクト仕様ビルトイン型空気調和機４０は、共に、建屋３１の天井３２と天井板３３との間の天井空間３４内に懸吊して配設され、ユニット本体３５、吹出ダクト３６、吹出チャンバ４８及び運転制御用の電装箱３７を有して構成されている。
【００１０】
ユニット本体３５は、互いに対向配置されて四角枠形状に設けられた４枚の側板３８の上縁部に天板３９が、下縁部の一部に底板４６がそれぞれ固定されて構成される。これらの側板３８、天板３９及び底板４６の内外表面に断熱材が貼着されている。このユニット本体３５の側板３８には吊り金具４１が固着され、この吊り金具４１が、建屋３１の天井３２から垂下された吊りボルト４２に止着されて、パネル仕様ビルトイン型空気調和機３０、ダクト仕様ビルトイン型空気調和機４０が建屋３１の天井３２に懸吊可能に構成される。このユニット本体３５の内部には、図示しない室内熱交換器、ファンおよびファンモータが収容される。室内熱交換器は、図２及び図３に示す冷媒配管接続口４３に接続された冷媒配管（液管）、及び冷媒配管接続口４４に接続された冷媒配管（ガス管）を用いて、図示しない室外機に接続される。ユニット本体３５内の室内熱交換器は、室外機から導かれる冷媒の蒸発または凝縮により、ユニット本体３５内に吸い込まれた空気を冷却し又は暖房する。４５Ａはドレン配管接続口、４５Ｂはドレン排出口を示している。
【００１１】
吹出ダクト３６は、ユニット本体３５から複数本が延設され、吹出ダクト３６のそれぞれは、ユニット本体３５の一つの側板３８に一体に設置された吹出口４７に一端が嵌装され、他端に吹出チャンバ４８が取付けられる。この吹出チャンバ４８は、天井板３３の適宜位置に設置される。ユニット本体３５内のファンの回転により、後述の如くユニット本体３５内に室内空気が吸い込まれ、室内熱交換器により熱交換された空気が、吹出ダクト３６を経て吹出チャンバ４８から被調和室へ吹き出される。
【００１２】
図１（Ａ）及び図２に示すパネル仕様ビルトイン型空気調和機３０では、ユニット本体３５の下部開口に天井パネル４９が嵌装されている。この天井パネル４９は、中央位置に吸込板５０を備え、この吸込板５０との隙間から室内空気を吸い込み、ユニット本体３５内へ導入する。また、図１（Ｂ）及び図３に示すダクト仕様ビルトイン型空気調和機４０は、ユニット本体３５の一つの側板３８で、吹出口４７が設置された側板３８に対向する側板（すなわちダクト仕様ビルトイン型空気調和機４０の背面板３８Ｂ）に、図示しない吸込開口が形成され、この側板３８（背面板３８Ｂ）に、例えばフィルタボックス５１を介して、通常一本の吸込ダクト５２が連接されている。吸込ダクト５２の一端部に吸込グリル５３が嵌装され、この吸込グリル５３が、天井板３３の適宜位置に設置される。この吸込グリル５３から室内空気が取り込まれ、吸込ダクト５２を経てユニット本体３５内へ吸い込まれる。尚、ユニット本体３５の下部開口は、本体蓋７７により閉鎖されている。
【００１３】
吹出チャンバ４８は、図４（Ａ）（Ｂ）に示すように、吹出グリル５５と組になっており、吹出チャンバ４８の側板に固定された吊り金具４８Ａに、建屋３１の天井３２から垂下された吊りボルトを引っ掛けることによって、天井裏に設置されている。そして、吹出ダクト３６（図１）を経て吹出チャンバ４８に送られる調和空気は、図中において矢印で示すように流れて、吹出グリル５５の二つの吹出口５５Ａを通じて、被調和室に吹き出される。
【００１４】
吹出チャンバ４８は、図５（Ａ）に示すように、略箱状に形成された鋼板製の外装材８１と、この外装材８１の内側に配置された発泡スチロール製の風路形成体８３と、この風路形成体８３を覆う略板状の鋼板製の蓋材８５とで構成されている。これら外装材８１、風路形成体８３及び蓋材８５は、図５（Ｂ）に示すように組み立てられ、その後に、図４（Ａ）に示すように、補強板８７、及びダクト接続フランジ９０がねじ止めされる。ここで、風路形成体８３の内側には、吹出空気の案内風路８３Ａ（図４（Ｂ）参照）が形成されている。
【００１５】
風路形成体８３は、図５（Ａ）に示すように、二つの形成体８３Ｂ，８３Ｃに分割されており、一方の形成体８３Ｂには、吹出ダクト３６に連通する風孔８３Ｄがあけられている。そして、他方の形成体８３Ｃの内壁面には、図４（Ｂ）に示すように、風の案内面８３Ｅが形成され、この案内面８３Ｅは、吹出開口部に向けて徐々に突出量が増す。そして、風孔８３Ｄの最下点の延長線Ｌ上より若干吹出開口部側に近づく位置、即ち位置８３Ｆで、最も高くなるように形成されている。
【００１６】
本構成では、図５（Ｂ）に示すように、各形成体８３Ｂ，８３Ｃの各面には、外装材８１又は蓋材８５のいずれかに当接する突起部８９と、この外装材８１又は蓋材８５に当接することのない凹部９１とが形成されている。また、上述した突起部８９は、それぞれの形成体８３Ｂ，８３Ｃにおける各面の最外周周縁部のすべてと、一方の形成体８３Ｂにおける風孔８３Ｄの周縁部のすべてとに一体形成されている。また、図５（Ａ）に示すように、蓋材８５には、風量調整板９３が配設されている。この風量調整板９３は、風孔８３Ｄ相当位置に設けられ、略円弧状の切り欠き９３Ａ、及び略直線状の切り欠き９３Ｂで切り抜かれた、蓋材８５の残存部によって形成されている。この風量調整板９３は、一対の連結部９３Ｃを介して蓋材８５に折り曲げ自在に連結される。この場合、風量の調整は、風量調整板９３を、形成体８３Ｂの風孔８３Ｄ内に押し込むように、一対の連結部９３Ｃを中心に矢印Ｘの方向に折り曲げることによって行う。風量調整板９３を大きく折り曲げれば風量が増し、反対に、折り曲げ量をすくなくすれば風量が減ることになる。本構成では、風量調整板９３が、略円弧状の切り欠き９３Ａ、及び略直線状の切り欠き９３Ｂで切り抜かれた、蓋材８５の残存部により形成されるため、余分な部材を必要とすることなく、風量調整板９３を簡単に形成することができる。
【００１７】
次に、吹出グリル５５の構成について説明する。この吹出グリル５５には、図６に示すように、２つの吹出口５５Ａと、この吹出口５５Ａに連通する案内風路５５Ｆとが形成されている。吹出グリル５５は、樹脂製の化粧パネル１０５と、この化粧パネル１０５に積層配置される発泡スチロール製の断熱体１０６とを備えて構成され、案内風路５５Ｆには、風向変更羽根１０７が回動自在に設けられている。
【００１８】
断熱材１０６は、図７に示すように、案内風路５５Ｆを構成する枠部１０６Ａと、案内風路５５Ｆを仕切るための風路仕切部１０６Ｂとを備え、これら枠部１０６Ａ及び風路仕切部１０６Ｂは一体に形成されている。この風路仕切部１０６Ｂは、案内風路５５Ｆを長手方向に仕切るように設けられ、その断面は、図６に示すように、上方が凸形状をなす略三角形状とされている。風路仕切部１０６Ｂは、上流側から流れてくる調和空気を側部１０６Ｃに沿って２つに分流し、各吹出口５５Ａから略均等に吹き出すように構成されている。
【００１９】
本構成では、案内風路５５Ｆを構成する枠部１０６Ａ及び、案内風路５５Ｆを仕切る風路仕切部１０６Ｂを発泡スチロール製の断熱体１０６で一体に形成しているので、従来のように、枠部及び風路仕切部を、それぞれ別個に板金で作成して組み立てる必要がないため、部品転数を削減し、作業工程を削減することができる。
【００２０】
化粧パネル１０５には、図６に示すように、上記風路仕切部１０６Ｂの下面を覆うとともに、この風路仕切部１０６Ｂを下方から支持する中央枠１０５Ａが形成されている。また、化粧パネル１０５の裏面には、図７に示すように、筒状の立ち上がり部１０８が形成されている。この立ち上がり部１０８は、略台形形状を有する一対の壁面１０９と、略階段状に複数の面が組み合わされて形成された一対の壁面１１１とを備えている。ここで、立ち上がり部１０８の短手方向の壁面１０９は、風路仕切部１０６Ｂが設けられる枠部１０６Ａの裏面に形成された溝（不図示）に嵌入される。この壁面１０９には、風向変更羽根１０７を取付けるための軸受部１１０が設けられ、風向変更羽根１０７は、回動軸部１０７Ａ及び羽根部１０７Ｂを有し、この回動軸部１０７Ａが軸受部１１０に摺動部材１１３（図６）を介して軸支されている。
【００２１】
また、立ち上がり部１０８の長手方向の壁面１１１は、図６に示すように、上記枠部１０６Ａの内壁１１２に嵌め合わされ、当該壁面１１１は、吹出グリル５５の案内風路５５Ｆの一部を構成している。
【００２２】
本構成では、吹出グリル１０５は、上記断熱体１０６に化粧パネル１０５を嵌め合わせて構成することにより、この化粧パネル１０５が断熱体１０６の表面を装飾するとともに、この断熱体１０６を保護し、補強する機能を果たしている。これによれば、所望の強度を有する吹出グリル５５を、部品点数を低減し、組み立て工程を削減して簡単に製造することができ、製造コストが大幅に低減することができる。
【００２３】
また、立ち上がり部１０８の長手方向の壁面１１１には、図６に示すように、被調和室に向けて案内風路５５Ｆの開口面積を徐々に拡げるように傾斜する第１の面１１１Ａと、この第１の面１１１Ａに段差部１１１Ｂを介して連なり、吹出風路５５Ｆの開口面積を徐々に拡げるように傾斜する第２の面１１１Ｃとが形成されている。このように形成することによって、案内風路を形成する壁面を一様に連続する傾斜面とした従来のものに比して、矢印αで示すように、案内風路５５Ｆを流れる吹出空気が、吹出グリル５５の周縁側下面５５Ｂに近い位置に吹き出される。これによって、各吹出口５５Ａから吹き出された冷たい空気と天井部との間に被調和室内の暖かい空気が入り込むのを阻止することができ、吹出グリル５５に結露が発生するのを抑制することができる。また、第１の面１１１Ａ、段差部１１１Ｂ、第２の面１１１Ａを有する壁面１１１が吹出グリル５５の化粧パネル１０５として一体に形成されるため、そのプロフィルを正確にかつ簡単に一体に形成することが可能である。
【００２４】
本実施形態によれば、吹出グリル５５は、案内風路５５Ｆを仕切る風路仕切部１０６Ｂが一体に形成された断熱体１０６と、この断熱体１０６に嵌め合わされるとともに、案内風路５５Ｆを構成する化粧パネル１０５とを備える構成としたため、従来のものに比べて、部品点数が大幅に削減され、組み立て工数が削減されるため、吹出グリル５５を簡単に製造することができる。
【００２５】
また、本実施形態によれば、化粧パネル１０５には、風路仕切部１０６Ｂの下面を覆う中央枠１０５Ａが形成されているため、この中央枠１０５Ａによって、風路仕切部１０６Ｂの下面を装飾するとともに、この風路仕切部１０６Ｂを補強することができる。
【００２６】
また、本実施形態によれば、化粧パネル１０５には、断熱体１０６の内壁１１２に嵌め合わされて係合する立ち上がり部１０８を備える構成としたため、この立ち上がり部１０８が断熱体１０６の内壁１１２を支持することができ、所望の強度を有する吹出グリル５５を製造することができる。
【００２７】
また、本実施形態によれば、立ち上がり部１０８の長手方向の壁面１１１には、第１の面１１１Ａと、この第１の面１１１Ａに段差部１１１Ｂを介して連なる第２の面１１１Ｃとが形成されているため、各吹出口５５Ａから吹き出された冷たい空気と天井部との間に被調和室内の暖かい空気が入り込むのを阻止することができ、吹出グリル５５に結露が発生するのを抑制することができる。
【００２８】
以上の各構成は、パネル仕様ビルトイン型空気調和機、ダクト仕様ビルトイン型空気調和機のいずれにも適用可能である。
【図面の簡単な説明】
【００２９】
【図１】本発明に係るビルトイン型空気調和機の一実施形態を示し、（Ａ）がパネル仕様ビルトイン型空気調和機、（Ｂ）がダクト仕様ビルトイン型空気調和機のそれぞれ側面図である。
【図２】図１（Ａ）のパネル仕様ビルトイン型空気調和機の一部を示す斜視図である。
【図３】図１（Ｂ）のダクト仕様ビルトイン型空気調和機の一部を示す斜視図である。
【図４】（Ａ）が吹出チャンバの斜視図、（Ｂ）がその断面図である。
【図５】（Ａ）が吹出チャンバの分解斜視図、（Ｂ）がその斜視図である。
【図６】吹出グリルの断面図である。
【図７】吹出グリルの分解斜視図である。
【符号の説明】
【００３０】
３０  パネル仕様ビルトイン型空気調和機
３５  ユニット本体
３６  吹出ダクト
４０  ダクト仕様ビルトイン型空気調和機
４８  吹出チャンバ
５５  吹出グリル
５５Ａ  吹出口
５５Ｆ  案内風路
１０５  外装体
１０５Ａ  中央枠
１０６  断熱体
１０６Ａ  枠部
１０６Ｂ  風路仕切部
１０８  立ち上がり部
１１１Ａ  第１の面
１１１Ｂ  段差部
１１１Ｃ  第２の面
【図１】
2006046870.tif 000003
【図２】
2006046870.tif 000004
【図３】
2006046870.tif 000005
【図４】
2006046870.tif 000006
【図５】
2006046870.tif 000007
【図６】
2006046870.tif 000008
【図７】
2006046870.tif 000009